(57)【要約】【課題】使用者による吐水形態選択操作時間が短く操作性の優れる吐水装置を提供する。【解決手段】給水源から供給された湯水を吐水する第一吐水部材と、第一吐水部材とは異なる位置に配置されて湯水を吐水する第二吐水部材と、給水源と接続されて湯水を第一吐水部材または第二吐水部材に供給する流路切替部材と、第一吐水部材と流路切替部材とを接続する第一接続管と、第二吐水部材と流路切替部材とを接続する第二接続管と、給水源と流路切替部材とを接続する給水管と、を備えた吐水装置であって、流路切替部材が、第一接続管と連通する第一内部流路と、第二接続管と連通する第二内部流路と、給水管と連通する供給流路と、供給流路と第一内部流路または第二内部流路とを接続させる切替弁と、切替弁を操作する操作ハンドルと、を有し、第一接続管と第一内部流路とからなる第一流路中に流量絞り部材が配置されている。【選択図】図２
2017035206.tif 000002
【特許請求の範囲】
【請求項１】
給水源から供給された湯水を吐水する第一吐水部材と、該第一吐水部材とは異なる位置に配置されて前記湯水を吐水する第二吐水部材と、前記給水源と接続されて前記湯水を前記第一吐水部材または前記第二吐水部材に供給する流路切替部材と、前記第一吐水部材と前記流路切替部材とを接続する第一接続管と、前記第二吐水部材と前記流路切替部材とを接続する第二接続管と、前記給水源と前記流路切替部材とを接続する給水管と、を備えた吐水装置であって、
前記流路切替部材が、前記第一接続管と連通する第一内部流路と、前記第二接続管と連通する第二内部流路と、前記給水管と連通する供給流路と、該供給流路と前記第一内部流路または前記第二内部流路とを接続させる切替弁と、該切替弁を操作する操作ハンドルと、を有し、
前記第一接続管と前記第一内部流路とからなる第一流路中に流量絞り部材が配置されていることを特徴とする吐水装置。
【請求項２】
前記操作ハンドルが、止水時に前記第一内部流路を閉塞させる方向に前記切替弁を作動させる切替弁付勢機構を有し、
前記供給流路と前記第一内部流路とを連通させた際に前記切替弁に働く前記第一流路中の水圧が、前記切替弁付勢機構の付勢力より大きいことを特徴とする請求項１に記載された吐水装置。
【請求項３】
前記流量絞り部材が、前記第一内部流路内に配置されていることを特徴とする請求項１または請求項２に記載された吐水装置。
【請求項４】
前記第一流路中の残水を排出する排水ユニットが、前記第一接続管中に設置されていることを特徴とする請求項１乃至請求項３のいずれか１項に記載された吐水装置。
【請求項５】
前記流量絞り部材による圧力損失が、前記第一吐水部材による圧力損失より小さいことを特徴とする請求項１乃至請求項４のいずれか１項に記載された吐水装置。
【発明の詳細な説明】
【技術分野】
【０００１】
本発明は、浴室等に設置され、複数の吐水形態を切替自在な吐水装置に関する。
【背景技術】
【０００２】
従来、ハンドシャワーからの吐水と吐水栓からの吐水とを切替弁によって切り替える吐水栓を備えた吐水装置が知られている（例えば、特許文献１）。
【０００３】
このような吐水装置は、使用者が操作ハンドルを押し下げることで吐水栓から吐水が行われ、操作ハンドルを引き上げることでハンドシャワーからの吐水が行われ、いずれの状態においても吐水栓内の水圧により、使用者が常時操作ハンドルを触っていなくとも、吐水状態が継続される。
【先行技術文献】
【特許文献】
【０００４】
【特許文献１】特開平８−２０９８１号公報
【発明の概要】
【発明が解決しようとする課題】
【０００５】
上述した吐水装置において、止水時にもハンドシャワー内に残水があるため、止水後の吐水時にハンドシャワー内の残水が冷水となって吐水され、使用者に不快感を与えていた。
そこで、ハンドシャワー内の残水を除去する排水ユニットを設けて、止水した後の吐水時におけるハンドシャワーからの冷水吐水を抑制していた。
しかしながら、吐水装置中に排水ユニットを設けると、ハンドシャワーと吐水栓とを接続する接続管内に残水が残らないため、止水後の吐水時において接続管内の水圧が高まって吐水栓の開弁状態が維持されるまで、使用者が操作ハンドルを引き上げ続ける必要がある。
【０００６】
また、近年、ハンドシャワーに加え、使用者の頭上から吐水する吐水形態が提案されており、このような吐水形態において、頭上吐水口における圧力損失が小さいものがある。
このような場合、吐水初期は頭上吐水口への管路内の水圧が十分高くないため、頭上吐水口への管路内の水圧が十分高くなって吐水栓の開弁状態が維持されるまで、使用者が操作ハンドルを引き上げ続ける必要がある。
【０００７】
そこで、本発明は、前述したような従来技術の問題を解決するものであって、すなわち、本発明の目的は、使用者による吐水形態選択操作時間が短く操作性の優れる吐水装置を提供することである。
【課題を解決するための手段】
【０００８】
請求項１に係る発明は、給水源から供給された湯水を吐水する第一吐水部材と、該第一吐水部材とは異なる位置に配置されて前記湯水を吐水する第二吐水部材と、前記給水源と接続されて前記湯水を前記第一吐水部材または前記第二吐水部材に供給する流路切替部材と、前記第一吐水部材と前記流路切替部材とを接続する第一接続管と、前記第二吐水部材と前記流路切替部材とを接続する第二接続管と、前記給水源と前記流路切替部材とを接続する給水管と、を備えた吐水装置であって、前記流路切替部材が、前記第一接続管と連通する第一内部流路と、前記第二接続管と連通する第二内部流路と、前記給水管と連通する供給流路と、該供給流路と前記第一内部流路または前記第二内部流路とを接続させる切替弁と、該切替弁を操作する操作ハンドルと、を有し、前記第一接続管と前記第一内部流路とからなる第一流路中に流量絞り部材が配置されていることにより、前述した課題を解決するものである。
請求項１に係る発明の吐水装置によれば、第一接続管と第一内部流路とからなる第一流路中に流量絞り部材が配置されていることにより、第一流路中に湯水が残っていない状態において第一吐水部材からの吐水を使用者が選択した際に、流量絞り部材と切替弁との間の流路中の圧力が高まり、この圧力により第一内部流路と供給流路との連通が保持される。
したがって、吐水開始時に第一流路中に湯水が充満されるまで使用者が操作ハンドルを保持する必要がなくなり、使用者による吐水形態選択操作時間が短く操作性の優れる吐水装置を提供することができる。
【０００９】
請求項２に係る発明は、請求項１に記載された吐水装置の構成に加えて、前記操作ハンドルが、止水時に前記第一内部流路を閉塞させる方向に前記切替弁を作動させる切替弁付勢機構を有し、前記供給流路と前記第一内部流路とを連通させた際に前記切替弁に働く前記第一流路中の水圧が、前記切替弁付勢機構の付勢力より大きいことにより、前述した課題を解決するものである。
請求項２に係る発明の吐水装置によれば、請求項１に係る発明が奏する効果に加え、操作ハンドルが、止水時に第一内部流路を閉塞させる方向に切替弁を作動させる切替弁付勢機構を有していることにより、止水時には第一吐水部材へ湯水が供給されない。
したがって、第一吐水部材からの不意の吐水を抑制することができる。
【００１０】
さらに、供給流路と第一内部流路とを連通させた際に切替弁に働く第一流路中の水圧が、切替弁付勢機構の付勢力より大きいことにより、第一内部流路を開放させる方向に操作ハンドルを動かした際に、第一流路中の水圧で操作ハンドルが第一内部流路を開放させる位置に保持される。
したがって、第一吐水部材からの不意の吐水を抑制しつつ、吐水開始時に第一流路中に湯水が充満されるまで使用者が操作ハンドルを保持する必要をなくして吐水装置の操作性を向上させることができる。
【００１１】
請求項３に係る発明は、請求項１または請求項２に記載された吐水装置の構成に加えて、前記流量絞り部材が、前記第一内部流路内に配置されていることにより、前述した課題を解決するものである。
このように構成された請求項３に係る発明の吐水装置によれば、請求項１または請求項２に係る発明が奏する効果に加えて、流量絞り部材が、第一内部流路内に配置されていることにより、切替弁と流量絞り部材とのあいだで形成される空間の体積が、第一接続管内に流量絞り部材が配置されている場合に比べて小さくなる。
したがって、流量絞り部材が第一接続管内にある場合に比べて、切替弁と流量絞り部材とのあいだで形成される空間に湯水が早く充満され、使用者が操作ハンドルを保持する時間をより短くすることができる。
【００１２】
請求項４に係る発明は、請求項１乃至請求項３のいずれか１項に記載された吐水装置の構成に加えて、前記第一流路中の残水を排出する排水ユニットが、前記第一接続管中に設置されていることにより、前述した課題を解決するものである。
このように構成された請求項４に係る発明の吐水装置によれば、請求項１乃至請求項３のいずれか１項に係る発明が奏する効果に加えて、排水ユニットが、第一接続管中に設置されていることにより、第一接続管中から残水が排出される。
したがって、第一接続管中に冷水が残らなくなり、第一吐水部材から冷水が吐水されることを抑制することができる。
【００１３】
請求項５に係る発明は、請求項１乃至請求項４のいずれか１項に記載された吐水装置の構成に加えて、前記流量絞り部材による圧力損失が、前記第一吐水部材による圧力損失より小さいことにより、前述した課題を解決するものである。
このように構成された請求項５に係る発明の吐水装置によれば、請求項１乃至請求項４のいずれか１項に係る発明が奏する効果に加えて、流量絞り部材による圧力損失が、第一吐水部材による圧力損失より小さいことにより、流量絞り部材と切替弁との間における湯水の充填圧力より第一吐水部材内部の圧力が高くなり、第一吐水部材内部の圧力が流量絞り部材を設けない場合と同程度となる。
したがって、流量絞り部材を設けない場合と同程度の浴び心地を使用者に提供することができる。
【発明の効果】
【００１４】
本発明によれば、使用者による吐水形態選択操作時間が短く操作性の優れる吐水装置を提供することができる。
【図面の簡単な説明】
【００１５】
【図１】本発明の第１実施形態である吐水装置の構成を示す概略構成図。
【図２】図１の流路切替部材の斜視断面図。
【図３】図１の流路切替部材を壁面に取り付けた状態の側面断面図。
【図４】図３の状態から切替弁を動かしてオーバーヘッドシャワーと給水源とを連通させた状態の側面断面図。
【発明を実施するための形態】
【００１６】
＜１．第１実施形態＞
図１および図４に基づいて、本発明の第１実施形態である吐水装置１００について説明する。
図１は本発明の第１実施形態である吐水装置の構成を示す概略構成図であり、図２は図１の流路切替部材の斜視断面図であり、図３は図１の流路切替部材を壁面に取り付けた状態の側面断面図であり、図４は図３の状態から切替弁を動かしてオーバーヘッドシャワーと給水源とを連通させた状態の側面断面図である。
【００１７】
＜１．１．吐水装置の構成＞
本発明の第１実施形態である吐水装置１００は、主に浴室に設置されるものである。
図１に示すように、吐水装置１００は、給水源Ｓから供給された湯水Ｈを吐水する第一吐水部材であるオーバーヘッドシャワー１１０と、このオーバーヘッドシャワー１１０とは異なる位置に配置されて湯水Ｈを吐水する第二吐水部材であるハンドシャワー１２０とを備えている。
さらに、吐水装置１００は、給水源Ｓと接続されて湯水Ｈをオーバーヘッドシャワー１１０またはハンドシャワー１２０に供給する流路切替部材１３０を備えている。
また、給水源Ｓは開閉機能を有しており、下流側（すなわち吐水装置１００）への湯水Ｈの供給を制御することができる。
【００１８】
次に、吐水装置１００のおおよその流路構成について説明する。
給水源Ｓ、オーバーヘッドシャワー１１０、ハンドシャワー１２０、流路切替部材１３０は、配管１４０によってそれぞれ接続されている。
具体的には、オーバーヘッドシャワー１１０と流路切替部材１３０とは第一接続管１４１で接続されており、ハンドシャワー１２０と流路切替部材１３０とは第二接続管１４２で接続されており、給水源Ｓと流路切替部材１３０とは給水管１４３で接続されている。
【００１９】
さらに、第一接続管１４１中には、第一接続管１４１中の残水を排出する排水ユニット１５０が設置されている。
【００２０】
＜１．２．流路切替部材の構造＞
次に、図２乃至図４に基づいて、流路切替部材１３０の構造について詳説する。
【００２１】
流路切替部材１３０は、概ね円柱状の部材であり、壁面Ｗに固定される基部Ｂと、基部Ｂに取り付けられる流路切替部Ｃとから構成されている。
【００２２】
＜１．２．１．基部の構造＞
まず、図２および図３に基づいて、基部Ｂの構造について説明する。
基部Ｂは、壁面Ｗの裏側に取り付けられる円盤状の配管接続基材１３１と、この配管接続基材１３１に嵌挿される環状パッキンＰ１および概ね円環状の壁固定部材１３２とを備えている。
【００２３】
配管接続基材１３１は、壁面Ｗへ固定した際に壁面Ｗの裏側と接触する円盤状のフランジ部１３１ａと、このフランジ部１３１ａから背面（壁面Ｗの裏側方向）に突出する概ねＴ字状の流路部１３１ｂと、フランジ部１３１ａの中央から前面（壁面Ｗの表側方向）に向けて突出する円筒状の壁面挿入部１３１ｃと、この壁面挿入部１３１ｃの先端から前面に更に突出する突出部１３１ｄとを備えている。
【００２４】
フランジ部１３１ａには雌ねじの形成された被締結孔１３１ｅが複数形成されている。
流路部１３１ｂには、オーバーヘッドシャワー１１０と連通する流出孔１３１ｆが水平方向に２つ形成されており（図２参照）、これら２つの流出孔１３１ｆは対向する位置に配置されている。
さらに、流路部１３１ｂには、給水源Ｓから延びる給水管１４３と連通する流入孔１３１ｇが鉛直方向に形成されている。
壁面挿入部１３１ｃは、壁面Ｗに形成された開口Ｗｈの内径とほぼ等しい外径（開口Ｗｈと壁面挿入部１３１ｃとが嵌合できる程度）を有しており、開口Ｗｈに挿入される。
突出部１３１ｄは、前述のように壁面挿入部１３１ｃの先端から前面に突出しており、壁面Ｗよりも前方に突出している。
【００２５】
環状パッキンＰ１は、壁固定部材１３２と壁面Ｗとの間を密閉するものであり、その内径は壁面Ｗの開口Ｗｈの直径より大きい。
【００２６】
壁固定部材１３２の内径は、配管接続基材１３１の突出部１３１ｄの外径とほぼ等しい（壁固定部材１３２と配管接続基材１３１の突出部１３１ｄとが嵌合できる程度）である。
【００２７】
また壁固定部材１３２には、開口両端にはそれぞれ円形のフランジ（前端フランジ１３２ａ、後端フランジ１３２ｂ）が形成されている。
前端フランジ１３２ａは後端フランジ１３２ｂよりも直径が小さく、流路切替部Ｃを基部Ｂに取り付けた際に、後述する切替本体部材１３３と当接する。
また、前端フランジ１３２ａの外周端には雌ネジが形成されている。
【００２８】
後端フランジ１３２ｂは、基部Ｂを壁面Ｗに取り付けた際に環状パッキンＰ１と当接する。
また、後端フランジ１３２ｂには締結ボルト（図示されない）を貫通する貫通孔１３２ｃが複数形成されている。
【００２９】
ここで、上述のように構成された基部Ｂを壁面Ｗへ固定手順を説明する。
まず、配管接続基材１３１の壁面挿入部１３１ｃおよび突出部１３１ｄを壁面Ｗに予め形成しておいた開口Ｗｈに壁面Ｗの裏側から挿入する。
そして、壁面Ｗの表側から、配管接続基材１３１の突出部１３１ｄに環状パッキンＰ１および壁固定部材１３２を、この順番で嵌挿する。
そして、締結ボルトを貫通孔１３２ｃに通して、配管接続基材１３１のフランジ部１３１ａに形成された被締結孔１３１ｅに螺合させる。
締結ボルトを被締結孔１３１ｅに締結させることで、壁面Ｗが基部Ｂで挟持されるため、基部Ｂが壁面Ｗに固定される。
【００３０】
＜１．２．２．流路切替部の構造＞
続いて、流路切替部Ｃの構造について説明する。
流路切替部Ｃは、壁面Ｗの表側に取り付けられる概ね円柱状の切替本体部材１３３と、切替本体部材１３３の前方（壁面Ｗの表側）に配置された操作ハンドル１３４とから形成されている。
【００３１】
切替本体部材１３３は、後端側に形成された概ね円盤状のフランジ部１３３ａが壁固定部材１３２と結合することで壁面Ｗに固定される。
フランジ部１３３ａの後端側には円柱状の開口されており、フランジ部１３３ａからこの開口に向けて突出する係合部１３３ｂが形成されている。
この係合部１３３ｂには雄ネジが設けられており、前述の壁固定部材１３２の前端フランジ１３２ａの外周端に形成された雌ネジと螺合する。
【００３２】
なお、切替本体部材１３３と壁固定部材１３２との間からの漏水を防ぐために、切替本体部材１３３と壁固定部材１３２との間には環状パッキンＰ２が挟み込まれている。
【００３３】
また、切替本体部材１３３の長手方向の中心には切替本体部材１３３を貫通する開口空間ＣＳが形成されており、この開口空間ＣＳ内には様々な機能部品が収容される。
さらに、この開口空間ＣＳは、切替本体部材１３３の後端から長手方向中央付近まで延びる仕切り壁１３３ｃにより概ね二重構造となっている。
すなわち、開口空間ＣＳは、切替本体部材１３３の前端から長手方向中央付近までは概ね円柱状の空間ＣＳ１と、切替本体部材１３３の長手方向中央付近から後端までは切替本体部材１３３と仕切り壁１３３ｃにより外周空間ＣＳ２および内周空間ＣＳ３とからなる二重構造の空間と、で形成されている。
【００３４】
概ね円柱状の空間ＣＳ１は、更に、切替本体部材１３３の底面側から上方に延びるハンドシャワー連通孔１３３ｄと連通している。
ハンドシャワー連通孔１３３ｄは、ハンドシャワー１２０に接続される第二接続管１４２と連通している。
【００３５】
内周空間ＣＳ３は、更に、仕切り壁１３３ｃに形成され切替本体部材１３３の底面側から上方に延びる通気孔１３３ｅと連通している。
この通気孔１３３ｅには、空気流入弁（水密破壊用逆止弁）１３５および空気流入弁抑え１３６が設けられている。
また、内周空間ＣＳ３の後端部には流路切替部材１３０の下流側へ供給される流量を絞る流量絞り部材である逆止弁１３７および逆止弁抑え１３８が設けられている。
【００３６】
ここで、切替本体部材１３３の壁固定部材１３２への固定手順を説明する。
壁固定部材１３２により配管接続基材１３１が壁面Ｗに固定された状態で、壁固定部材１３２の前端フランジ１３２ａに切替本体部材１３３のフランジ部１３３ａを外挿する。
そして、切替本体部材１３３のフランジ部１３３ａと壁固定部材１３２の前端フランジ１３２ａとを螺入させる。
切替本体部材１３３のフランジ部１３３ａと壁固定部材１３２の前端フランジ１３２ａとを螺入させた後、フランジ部１３３ａの正面視側方から止めネジ１３９（図２参照）を挿入して、止めネジ１３９と壁固定部材１３２とを当接させることで切替本体部材１３３と壁固定部材１３２とが固定される。
【００３７】
なお、このように切替本体部材１３３のフランジ部１３３ａと壁固定部材１３２の前端フランジ１３２ａとを螺入させた後に、止めネジ１３９によって切替本体部材１３３を壁固定部材１３２に固定させることで、切替本体部材１３３のフランジ部１３３ａと壁固定部材１３２の前端フランジ１３２ａとに形成されたネジ部が切替本体部材１３３の壁固定部材１３２から脱落防止機構となるため、重量物である切替本体部材１３３が床に落下することを防ぐことができる。
【００３８】
次に操作ハンドル１３４について説明する。
操作ハンドル１３４は、使用者が把持するハンドル本体１３４ａと、ハンドル本体１３４ａに取り付けられた円柱状の軸１３４ｂと、この軸１３４ｂに取付られて切替本体部材１３３と係合して切替本体部材１３３の長手方向を密閉する封止部材１３４ｃと、軸１３４ｂの先端に取り付けられて仕切り壁１３３ｃの前端側の弁座１３３ｆ（図４参照）と当接する概ね円環状の切替弁１３４ｄとを備えている。
さらに、軸１３４ｂの封止部材１３４ｃと切替弁１３４ｄとの間には、切替弁付勢機構である付勢バネ１３４ｅが挿入されている。
【００３９】
切替弁１３４ｄは、弁座１３３ｆだけでなく、封止部材１３４ｃの後端に設けられた弁座１３４ｆにも当接する。
すなわち、切替弁１３４ｄは、操作ハンドル１３４の切替に応じて、切替本体部材１３３の弁座１３３ｆと封止部材１３４ｃの弁座１３４ｆとの間を移動する。
【００４０】
＜１．２．３．流路切替部材の流路構成＞
続いて、流路切替部材１３０の流路について、図３および図４を用いて説明する。
まず、内周空間ＣＳ３と配管接続基材１３１の流出孔１３１ｆとを連通し、第一接続管１４１と連通する流路を第一内部流路Ｌ１とする。
また、空間ＣＳ１と切替本体部材１３３のハンドシャワー連通孔１３３ｄとを連通し、第二接続管１４２と連通する流路を第二内部流路Ｌ２とする。
また、切替本体部材１３３の外周空間ＣＳ２と配管接続基材１３１の流入孔１３１ｇとを連通し、給水管１４３と連通する流路を供給流路Ｌ３とする。
【００４１】
このように構成された流路切替部材１３０の流路において、図４のように、操作ハンドル１３４を操作して切替弁１３４ｄを弁座１３３ｆから離間させて弁座１３４ｆと当接させることで、供給流路Ｌ３と第一内部流路Ｌ１とが接続され、供給流路Ｌ３から第一接続管１４１に渡る第一流路が形成される。
また、図３のように、操作ハンドル１３４を操作して切替弁１３４ｄを弁座１３４ｆから離間させて弁座１３３ｆに当接させることで、供給流路Ｌ３と第二内部流路Ｌ２とが接続され、供給流路Ｌ３から第二接続管１４２に渡る第二流路が形成される。
【００４２】
＜１．３．動作＞
続いて、このように構成された吐水装置１００の動作について説明する。
＜１．３．１．止水時＞
まず、給水源Ｓから湯水Ｈが供給されない止水時について説明する。
このとき、切替弁１３４ｄには、付勢バネ１３４ｅの付勢力と、切替弁１３４ｄと逆止弁１３７との間の湯水の水圧とが作用する。
ここで、付勢バネ１３４ｅの付勢力が切替弁１３４ｄと逆止弁１３７との間の湯水の水圧より大きくなるように設定されている。
したがって、止水時においては、図３のように切替弁１３４ｄは弁座１３３ｆに当接し、第一流路中の水が第二流路に流れることがない。
【００４３】
＜１．３．２．ハンドシャワーからの吐水＞
次に、給水源Ｓから湯水Ｈが供給されている状態において、使用者が操作ハンドル１３４を操作しない場合について説明する。
このとき、切替弁１３４ｄには、付勢バネ１３４ｅの付勢力および第二内部流路Ｌ２内の水圧と、切替弁１３４ｄと逆止弁１３７との間の湯水の水圧とが作用する。
したがって、給水源Ｓから湯水が供給されている状態において、使用者が操作ハンドル１３４を操作しない場合でも、切替弁１３４ｄは弁座１３３ｆに当接し、供給流路Ｌ３と第二内部流路Ｌ２とが接続される。
よって、供給流路Ｌ３から第二接続管１４２に渡る第二流路が形成され、ハンドシャワー１２０から吐水がされる。
このとき、切替弁１３４ｄが弁座１３３ｆに当接しているので、第一流路中の湯水が第二流路に流れることはない。
【００４４】
＜１．３．３．オーバーヘッドシャワーからの吐水＞
次に、給水源Ｓから湯水Ｈが供給されている状態において、使用者が操作ハンドル１３４を引いた場合について説明する。
このとき、使用者の操作力により、切替弁１３４ｄが切替本体部材１３３の弁座１３３ｆから離間し、封止部材１３４ｃの弁座１３４ｆと当接する。
そして、この状態で使用者が操作ハンドル１３４から手を離すと、切替弁１３４ｄには、付勢バネ１３４ｅの付勢力と、第一流路中の水圧とが作用する。
ここで、付勢バネ１３４ｅの付勢力が、第一流路中の水圧より大きくなるように設定されている。
したがって、給水源Ｓから湯水Ｈが供給されている状態において、使用者が操作ハンドル１３４を操作引くと、切替弁１３４ｄは封止部材１３４ｃの弁座１３４ｆに当接し、供給流路Ｌ３と第一内部流路Ｌ１とが接続される。
よって、供給流路Ｌ３から第一接続管１４１に渡る第一流路が形成され、オーバーヘッドシャワー１１０から吐水がされる。
【００４５】
＜１．３．４．逆止弁の効果＞
吐水装置１００の基本的な吐水動作は以上であったが、吐水装置１００は排水ユニット１５０を備えていることにより、第一流路が閉塞されていると、排水ユニット１５０によって第一接続管１４１中の残水が排出される。
したがって、止水時あるいは第二流路中を湯水が流れているときは、第一接続管１４１中には残水が殆ど存在しない。
このような状況で、使用者が操作ハンドル１３４を引くと、第一流路中に湯水が充填されて第一流路中の水圧が付勢バネ１３４ｅの付勢力より大きくなるまで、操作ハンドル１３４を引き続ける必要がある。
【００４６】
さらに、オーバーヘッドシャワー１１０における圧力損失が少ないと、第一流路中に湯水がより充填されにくくなり、第一流路中の水圧が付勢バネ１３４ｅの付勢力より大きくなるまでの時間が長くなるため、より長く操作ハンドル１３４を引き続ける必要がある。
【００４７】
そこで、逆止弁１３７が第一流路内に配置されていると、逆止弁１３７が絞りとなるため、逆止弁１３７で湯水がある程度せき止められる。
したがって、切替弁１３４ｄに作用する水圧は、第一流路中の水圧ではなく、切替弁１３４ｄと逆止弁１３７との間の水圧となる。
【００４８】
ここで、逆止弁１３７が第一流路中に配置されているため、切替弁１３４ｄと逆止弁１３７との間の距離は第一流路の長さよりも短くなる。
したがって、逆止弁１３７を設けない場合に比べて、切替弁１３４ｄに作用する水圧が高まる時間が早くなるので、使用者が操作ハンドル１３４を引く時間が短くなる。
【００４９】
そして、本実施形態のように、逆止弁１３７を流路切替部材１３０の内部（第一内部流路Ｌ１中）に配置することにより、切替弁１３４ｄとの間の距離を極力短くすることができ、より短時間で切替弁１３４ｄと逆止弁１３７との間の水圧を付勢バネ１３４ｅの付勢力より大きくすることができる。
【００５０】
なお、オーバーヘッドシャワー１１０の浴び心地を損なわないために、逆止弁１３７における圧力損失はオーバーヘッドシャワー１１０における圧力損失より小さくなるように設定されている。
【００５１】
＜１．３．５．空気流入弁の効果＞
また、本実施形態においては、空気流入弁１３５は、逆止弁１３７と同じく逆止弁を利用している。
前述のように、第一内部流路Ｌ１内に逆止弁１３７を設けると、止水時およびハンドシャワー１２０からの吐水時（切替弁１３４ｄが弁座１３４ｆに当接しているとき）において、切替弁１３４ｄと逆止弁１３７との内周空間ＣＳ３が水密されて水密空間が形成される。
このように内周空間ＣＳ３が水密空間となると、水が非圧縮性流体であるため、体積変化しにくく、操作ハンドル１３４を引いて切替弁１３４ｄを封止部材１３４ｃの弁座１３４ｆまで移動させることが困難となる。
【００５２】
しかしながら、空気流入弁１３５を設けることで、操作ハンドル１３４を引いた時に、空気流入弁１３５が開弁して外気が取り入れられ、これによって内周空間ＣＳ３の水密が破壊される。
よって、操作ハンドル１３４を引くことが加納となり、切替弁１３４ｄを封止部材１３４ｃの弁座１３４ｆまで移動させることができるようになる。
すなわち、本実施形態において、空気流入弁１３５は水密破壊機構として機能する。
【００５３】
＜１．４．作用効果＞
このようにして得られた本発明の第１実施形態である吐水装置１００は、第一接続管１４１と第一内部流路Ｌ１とからなる第一流路中に流量絞り部材である逆止弁１３７が配置されていることにより、第一流路中に湯水が残っていない状態において第一吐水部材であるオーバーヘッドシャワー１１０からの吐水を使用者が選択した際に、逆止弁１３７と切替弁１３４ｄとの間の流路中の圧力が高まり、この圧力により第一内部流路Ｌ１と供給流路Ｌ３との連通が保持される。
したがって、吐水開始時に第一流路中に湯水が充満されるまで使用者が操作ハンドル１３４を保持する必要がなくなり、使用者による吐水形態選択操作時間が短く操作性の優れる吐水装置１００を提供することができる。
【００５４】
また、操作ハンドル１３４が、止水時に第一内部流路Ｌ１を閉塞させる方向に切替弁１３４ｄを作動させる切替弁付勢機構である付勢バネ１３４ｅを有していることにより、止水時にはオーバーヘッドシャワー１１０へ湯水が供給されない。
したがって、オーバーヘッドシャワー１１０からの不意の吐水を抑制することができる。
【００５５】
さらに、供給流路Ｌ３と第一内部流路Ｌ１とを連通させた際に切替弁１３４ｄに働く第一流路中の水圧が、付勢バネ１３４ｅの付勢力より大きいことにより、第一内部流路Ｌ１を開放させる方向に操作ハンドル１３４を動かした際に、第一流路中の水圧で操作ハンドル１３４が第一内部流路Ｌ１を開放させる位置に保持される。
したがって、オーバーヘッドシャワー１１０からの不意の吐水を抑制しつつ、吐水開始時に第一流路中に湯水が充満されるまで使用者が操作ハンドル１３４を保持する必要をなくして吐水装置１００の操作性を向上させることができる。
【００５６】
さらに、逆止弁１３７が、第一内部流路Ｌ１内に配置されていることにより、切替弁１３４ｄと逆止弁１３７とのあいだで形成される空間の体積が、第一接続管１４１内に逆止弁１３７が配置されている場合に比べて小さくなる。
したがって、逆止弁１３７が第一接続管１４１内にある場合に比べて、切替弁１３４ｄと逆止弁１３７とのあいだで形成される空間に湯水が早く充満され、使用者が操作ハンドル１３４を保持する時間をより短くすることができる。
【００５７】
また、排水ユニット１５０が、第一接続管１４１中に設置されていることにより、第一接続管１４１中から残水が排出される。
したがって、第一接続管１４１中に冷水が残らなくなり、オーバーヘッドシャワー１１０から冷水が吐水されることを抑制することができる。
【００５８】
さらに、逆止弁１３７による圧力損失が、オーバーヘッドシャワー１１０による圧力損失より小さいことにより、逆止弁１３７と切替弁１３４ｄとの間における湯水の充填圧力よりオーバーヘッドシャワー１１０内部の圧力が高くなり、オーバーヘッドシャワー１１０内部の圧力が逆止弁１３７を設けない場合と同程度となる。
したがって、逆止弁１３７を設けない場合と同程度の浴び心地を使用者に提供することができる。
【００５９】
＜２．変形例＞
以上、本発明を実施するための形態について説明したが、本発明は上記に限定されるものではない。
【００６０】
例えば、本発明を実施するための形態では、吐水装置がオーバーヘッドシャワーとハンドシャワーとを備えていたが、更にカランを備えるものであってもよい。
【００６１】
また、第一吐水部材であるオーバーヘッドシャワーは、壁面に固定されており、かつ、使用者の頭上に湯水を降り注がせるものであれば、如何なるものであってもよく、浴室の天井に取り付けられて使用者に向かって吐水するものであってもよいし、浴室の立壁面から突出して使用者の頭上に向かって吐水するものであってもよい。
【００６２】
また、第二吐水部材であるハンドシャワーは、使用者が把持して使用するものであれば、形状や吐水形態は如何なるものであってもよい。
【００６３】
また、前述した実施形態が備える各要素は技術的に可能である限り組み合わせることができ、これらを組み合わせたものも本発明の特徴を含む限り本発明の範囲に包含される。
【符号の説明】
【００６４】
１００    ・・・  吐水装置
１１０    ・・・  オーバーヘッドシャワー（第一吐水部材）
１２０    ・・・  ハンドシャワー（第二吐水部材）
１３０    ・・・  流路切替部材
１３１    ・・・  配管接続基材
１３１ａ  ・・・  フランジ部
１３１ｂ  ・・・  流路部
１３１ｃ  ・・・  壁面挿入部
１３１ｄ  ・・・  突出部
１３１ｅ  ・・・  被締結孔
１３１ｆ  ・・・  流出孔
１３１ｇ  ・・・  流入孔
１３２    ・・・  壁固定部材
１３２ａ  ・・・  前端フランジ
１３２ｂ  ・・・  後端フランジ
１３２ｃ  ・・・  貫通孔
１３３    ・・・  切替本体部材
１３３ａ  ・・・  フランジ部
１３３ｂ  ・・・  係合部
１３３ｃ  ・・・  仕切り壁
１３３ｄ  ・・・  ハンドシャワー連通孔
１３３ｅ  ・・・  通気孔
１３３ｆ  ・・・  弁座
１３４    ・・・  操作ハンドル
１３４ａ  ・・・  ハンドル本体
１３４ｂ  ・・・  軸
１３４ｃ  ・・・  封止部材
１３４ｄ  ・・・  切替弁
１３４ｅ  ・・・  付勢バネ（切替弁付勢機構）
１３４ｆ  ・・・  弁座
１３５    ・・・  空気流入弁（水密破壊用逆止弁）
１３６    ・・・  空気流入弁抑え
１３７    ・・・  流量絞り部材（逆止弁）
１３８    ・・・  逆止弁抑え
１３９    ・・・  止めネジ
１４０    ・・・  配管
１４１    ・・・  第一接続管
１４２    ・・・  第二接続管  
１４３    ・・・  給水管
１５０    ・・・  排水ユニット
Ｂ      ・・・  基部
Ｃ      ・・・  流路切替部
ＣＳ    ・・・  開口空間
ＣＳ１  ・・・  空間
ＣＳ２  ・・・  外周空間
ＣＳ３  ・・・  内周空間
Ｌ１    ・・・  第一内部流路
Ｌ２    ・・・  第二内部流路
Ｌ３    ・・・  供給流路
Ｈ      ・・・  湯水
Ｓ      ・・・  給水源
Ｐ１    ・・・  環状パッキン
Ｐ２    ・・・  環状パッキン
Ｗ      ・・・  壁面
Ｗｈ    ・・・  開口
【図１】
2017035206.tif 000003
【図２】
2017035206.tif 000004
【図３】
2017035206.tif 000005
【図４】
2017035206.tif 000006